(57)【要約】  ロータ回動時に、スライドピンを異音を抑制しつつスムーズにスライドさせることができる、開閉部材のロック装置を提供する。  この開閉部材のロック装置１０は、取付ベース２０と、支軸２１と、取付ベース２０に回動可能に取付けられたロータ３０と、一対のアーム３５と、基端部５３をアーム３５に連結され、先端部５５を係合孔に挿脱可能とされた一対のスライドピン５１，５２と、ロータ３０をスライドピン５１，５２が係合孔に挿入される方向に回動付勢するねじりコイルバネ６０と、ねじりコイルバネ６０の付勢力に抗して移動させ、スライドピン５１，５２を係合孔から抜き出すロック解除手段とを備え、スライドピン５１，５２をその長さ方向に沿って直線的にスライドさせるガイド部が設けられている。
2012132546.tif 000002
【特許請求の範囲】
【請求項１】
被取付部材の開口部に開閉可能に取付けられる開閉部材のロック装置であって、
前記被取付部材又は前記開閉部材に取付けられる取付ベースと、
この取付ベースに突設された支軸と、
この支軸を介して、前記取付ベースに回動可能に取付けられたロータと、
このロータから半径方向外方に向けて延出された一対のアームと、
基端部を前記ロータの対応するアームの先端部に連結され、先端部を相手方部材に設けられた係合孔に挿脱可能とされた一対のスライドピンと、
前記ロータを前記スライドピンが前記係合孔に挿入される方向に回動付勢するリターンスプリングと、
前記ロータ又は前記スライドピンを、前記リターンスプリングの付勢力に抗して移動させて、前記スライドピンを前記係合孔から抜き出すロック解除手段とを備え、
前記スライドピンの基端部が、前記アームの先端部に、前記スライドピンの長さ方向に遊びなく、前記スライドピンの長さ方向と直交する方向に所定の遊びを有して連結され、
前記スライドピンをその長さ方向に沿って直線的にスライドさせるガイド部が設けられていることを特徴とする開閉部材のロック装置。
【請求項２】
前記ガイド部は、前記ロータの前記支軸への装着部の外周に形成された円弧状壁部と、該円弧壁部に対向して前記スライドピンが挿入される間隔を開けて前記取付ベースから立設されたガイド壁とで構成されている請求項１記載の開閉部材のロック装置。
【請求項３】
前記取付ベースは、前記ロータ及び前記一対のスライドピンが前記取ベースと前記被取付部材又は前記開閉部材との間に挟み込まれるように、前記支軸の突設面を前記被取付部材又は前記開閉部材に向けて取付けられている請求項１又は２に記載の開閉部材のロック装置。
【請求項４】
前記取付ベース及び前記ロータには、前記ロータの、前記リターンスプリングの付勢方向における回動角度を規制する回動規制部が設けられている請求項１〜３のいずれか１つに記載の開閉部材のロック装置。
【発明の詳細な説明】
【技術分野】
【０００１】
本発明は、例えば、自動車のインストルメントパネル等の開口部に、開閉可能に取付けられるリッド等の開閉部材を開閉ロックするための、開閉部材のロック装置に関する。
【背景技術】
【０００２】
例えば、自動車のインストルメントパネル等にはグローブボックスが配設されており、このグローブボックスの開口部に対してリッドが開閉可能に取付けられている。そして、グローブボックスの開口部に対してリッドを閉じた状態にロックすると共に、開口部からリッドを開いた状態とするためのロック装置が設けられている。【０００３】
例えば、下記特許文献１には、リッド裏側に回動可能に軸支されたロータと、ロータの軸中心に対して点対称な位置に基端部が係合し、開口部周縁に係脱できるように、先端部がリッドの両側からそれぞれ出没可能に支持された一対のロッドと、リッドの表側に押し引き可能に取付けられて、該押し引き操作によって前記ロータを回動させるノブと、ロッドがリッド両側から突出する方向に常時回動付勢するリターンスプリングとを備え、ノブを押し引き操作することにより、ロータがリターンスプリングに抗して回動し、ロッドがリッド内に引き込むように構成されているサイドロック装置が記載されている。また、ロッドの基端部は枠状をなしており、この枠状の基端部に、ロータに設けられた球状の係合部が係合して、ロータに一対のロッドが連結されるようになっている。
【先行技術文献】
【特許文献】
【０００４】
【特許文献１】特開２００７−１００３４３号公報
【発明の概要】
【発明が解決しようとする課題】
【０００５】
上記特許文献１に記載のサイドロック装置では、ロータの軸中心に対して点対称な位置に、ロッドの基端部が係合しているため、ノブを操作してロータを回動させると、それに連動してロッドの基端部が円弧状に移動して、ロッドがロータの回動角度に応じて傾きつつスライドするようになっている。そのため、ロッドが、リッドに設けられたガイド孔や、開口部周縁に設けられた係合孔に強く摺接して、スライド抵抗が増大したり、異音の原因となったりすることがある。【０００６】
したがって、本発明の目的は、ロータを回動させてスライドピンをスライドさせるときに、スライドピンのスライド抵抗の増大を防ぎ、異音を抑制しつつスムーズにスライドさせることができる、開閉部材のロック装置を提供することにある。
【課題を解決するための手段】
【０００７】
上記目的を達成するため、本発明の開閉部材のロック装置は、被取付部材の開口部に開閉可能に取付けられるものであって、前記被取付部材又は前記開閉部材に取付けられる取付ベースと、この取付ベースに突設された支軸と、この支軸を介して、前記取付ベースに回動可能に取付けられたロータと、このロータから半径方向外方に向けて延出された一対のアームと、基端部を前記ロータの対応するアームの先端部に連結され、先端部を相手方部材に設けられた係合孔に挿脱可能とされた一対のスライドピンと、前記ロータを前記スライドピンが前記係合孔に挿入される方向に回動付勢するリターンスプリングと、前記ロータ又は前記スライドピンを、前記リターンスプリングの付勢力に抗して移動させて、前記スライドピンを前記係合孔から抜き出すロック解除手段とを備え、前記スライドピンの基端部が、前記アームの先端部に、前記スライドピンの長さ方向に遊びなく、前記スライドピンの長さ方向と直交する方向に所定の遊びを有して連結され、前記スライドピンをその長さ方向に沿って直線的にスライドさせるガイド部が設けられていることを特徴とする。【０００８】
本発明の開閉部材のロック装置においては、前記ガイド部は、前記ロータの前記支軸への装着部の外周に形成された円弧状壁部と、該円弧壁部に対向して前記スライドピンが挿入される間隔を開けて前記取付ベースから立設されたガイド壁とで構成されていることが好ましい。【０００９】
本発明の開閉部材のロック装置においては、前記取付ベースは、前記ロータ及び前記一対のスライドピンが前記取ベースと前記被取付部材又は前記開閉部材との間に挟み込まれるように、前記支軸の突設面を前記被取付部材又は前記開閉部材に向けて取付けられていることが好ましい。【００１０】
本発明の開閉部材のロック装置においては、前記取付ベース及び前記ロータには、前記ロータの、前記リターンスプリングの付勢方向における回動角度を規制する回動規制部が設けられていることが好ましい。
【発明の効果】
【００１１】
上記発明によれば、前記開閉部材が閉じた状態で、前記スライドピンを前記リターンスプリングの付勢力で押出して、前記係合孔に挿入させることにより、前記開閉部材が前記被取付部材の開口部を閉じた状態にロックすることができる。【００１２】
また、ロック解除手段を操作して、前記ロータ又は前記スライドピンを、前記リターンスプリングの付勢力に抗して移動させて、前記スライドピンを前記係合孔から抜き出すことにより、前記開閉部材を開くことができる。【００１３】
そして、リターンスプリングの付勢力やロック解除手段によってロータが回転するとき、スライドピンは、その基端部が、ロータのアームの先端部に、スライドピンの長さ方向に遊びなく、スライドピンの長さ方向と直交する方向に所定の遊びを有して連結されているので、ロータのアームが円弧状に移動しても、スライドピンは、ガイド部によって、その長さ方向に直線的にスライドすることができる。【００１４】
その結果、スライドピンが傾いて、係合孔やその他のガイド孔などに摺接して、スライド抵抗が増大したり、異音が発生したりすることを防止できる。
【図面の簡単な説明】
【００１５】
【図１】本発明に係る開閉部材のロック装置の、一実施形態を示す分解斜視図である。
【図２】同開閉部材のロック装置の斜視図である。
【図３】同開閉部材のロック装置の要部分解斜視図である。
【図４】同開閉部材のロック装置を構成するスライドピンの要部拡大斜視図である。
【図５】同開閉部材のロック装置を被取付部材に取付けた状態を示す斜視図である。
【図６】同開閉部材のロック装置が取付けられる被取付部材及び開閉部材の要部拡大斜視図である。
【図７】同開閉部材のロック装置のスライドピンが押し出された状態での拡大説明図である。
【図８】同開閉部材のロック装置のスライドピンが引き込まれた状態での拡大説明図である。
【図９】同開閉部材のロック装置のスライドピンが押し出され、係合孔に係合した状態を示す説明図である。
【図１０】同開閉部材のロック装置のスライドピンが引き込まれ、係合孔に対する係合が解除された状態を示す説明図である。
【図１１】本発明に係る開閉部材のロック装置の他の実施形態を示しており、（ａ）はその分解斜視図、（ｂ）は平面図である。
【図１２】同開閉部材のロック装置を構成するスライドピンを示しており、（ａ）はその要部拡大斜視図、（ｂ）は（ａ）とは異なる方向から見た場合の要部拡大斜視図であある。
【図１３】本発明に係る開閉部材のロック装置の更に他の実施形態を示しており、（ａ）はその分解斜視図、（ｂ）は平面図である。
【発明を実施するための形態】
【００１６】
以下、図１〜１０を参照して、本発明に係る開閉部材のロック装置の一実施形態について説明する。
【００１７】
図５，６，９，１０に示すように、この実施形態における開閉部材のロック装置１０（以下、「ロック装置１０」）は、例えば、車両のインストルメントパネルに取付けられたグローブボックス本体１（本発明における「被取付部材」）の開口部２に、開閉可能に取付けられるリッド５（本発明における「開閉部材」）を開閉ロックするために用いられる。図６に示すように、グローブボックス本体１の開口部上方の両側周縁には、凹部３，３がそれぞれ形成されており、各凹部３の側面には、前記開口部２に連通した通孔３ａが形成されている。また、グローブボックス本体１の背面上壁の所定位置には、一対のガイドリブ４，４がそれぞれ突設されている（図９及び図１０参照）。一方、図６に示すように、前記リッド５の上部裏側には、グローブボックス本体１の凹部３に挿脱される一対の突部６，６が形成されており、各突部６に係合孔６ａがそれぞれ設けられている。
【００１８】
図１〜３に示すように、本実施形態のロック装置１０は、グローブボックス本体１の上壁に取付けられる取付ベース２０と、この取付ベース２０に突設された支軸２１と、この支軸２１を介して取付ベース２０に回動可能に取付けられたロータ３０と、このロータ３０から半径方向外方に向けて延出され、その外周に円弧状壁部４０が形成された一対のアーム３５，３５と、これらのアーム３５，３５に基端部５３が連結され、先端部５５がリッド５に設けられた係合孔６ａ（図９，１０参照）に挿脱可能とされた一対のスライドピン５１，５２と、前記ロータ３０を前記一対のスライドピン５１，５２が前記係合孔６ａに挿入される方向に回動付勢するねじりコイルバネ６０と、前記一対のスライドピン５１，５２を、前記ねじりコイルバネ６０の付勢力に抗して移動させて、前記一対のスライドピン５１，５２を前記係合孔６ａから抜き出すロック解除手段とを備えている。
【００１９】
取付ベース２０は、一部が切欠かれた矩形板状をなしており、その所定位置から前記支軸２１が一体的に突設されている。支軸２１の先端部２１ａは、段部２１ｂを介して基部に対して縮径されており、この先端部２１ａの対向する外周面からは、突起２２がそれぞれ突設されている。また、取付ベース２０の支軸２１の外周には、一対の壁部２３，２３が斜めに対向して立設されている。なお、一対の壁部２３，２３の一方に、ねじりコイルバネ６０の一方の脚部６２が係止されるようになっている。
【００２０】
更に、取付ベース２０には、アーム３５外周の円弧状壁部４０，４０に対向して、スライドピン５１，５２が挿入される間隔を開けて、ガイド壁２５，２６がそれぞれ立設されている。図７，８に示すように、この実施形態におけるガイド壁２５，２６は、取付ベース２０の両側辺であって、前記支軸２１の軸心Ｓ１に対して斜めに対向する位置から立設されており、スライドピン５１，５２の、取付ベース２０外方の外側面に配置されるようになっている。また、取付ベース２０のガイド壁２５から所定長さ離れた位置には、スライドピン５１が過度に押し込まれるのを規制して、ロータ３０が支軸２１から抜け外れることを防止するための、押込規制壁２７が立設されている。
【００２１】
支軸２１に回動支持されるロータ３０は、中央に軸孔３２が形成された円形状の回動部３１と、この回動部３１の対向する外周面から半径方向外方に向けて延設された一対のアーム３５，３５とを有している。軸孔３２の内周の対向した位置からは、軸方向に沿って一対のストッパ突部３３，３３が突設されている。このストッパ突部３３，３３は、図７に示すように、ロータ３０がねじりコイルバネ６０で回動付勢され、一対のスライドピン５１，５１が押出された状態とされたときに、前記支軸２１の突起２２，２２にそれぞれ当接して、ロータ３０の回動角度を規制する部分となっている。すなわち、この実施形態では、ストッパ突部３３と前記突起２２とが、本発明における「回動規制部」をなしている。
【００２２】
更に、図３及び図７に示すように、軸孔３２の軸方向一端部であって、ストッパ突部３３，３３の間には、軸孔３２の内周に沿って複数のリブ３４が突設されている。複数のリブ３４の間には、支軸２１の突起２２を挿通できる隙間が設けられている。そして、ロータ３０の軸孔３２に支軸２１を挿入し、複数のリブ３４の隙間から支軸２１の突起２２，２２を通過させた後、ロータ３０を所定方向に回動させることにより、支軸２１の突起２２と段部２１ｂとの間に、ロータ３０のリブ３４が挟持されて、支軸２１にロータ３０が抜け止めされた状態で回動可能に取付けられるようになっている。
【００２３】
また、一対のアーム３５，３５は、前記回動部３１の対向する外周面から、ねじりコイルバネ６０の外径よりも大きな間隔を設けて、軸孔３２の軸方向に沿って垂設された基部３６，３６と、各基部３６の端部から半径方向外方に向けてそれぞれ延出された先端部３７，３７とを有している。各先端部３７の延出方向先端には、スライドピン５１，５２と連結するための、連結部材３８が設けられている。この連結部材３８の先端部３８ａは、球状に膨出した形状をなしている。
【００２４】
図２及び図７に示すように、この連結部材３８を介して、一対のスライドピン５１，５２が、その長さ方向に遊びなく且つ長さ方向に直交する方向に所定の遊びを有するように、アーム３５，３５の各先端部３７にそれぞれ連結されると共に、一対のスライドピン５１，５２が、ロータ３０の軸孔３２を中心として、左右水平方向へ点対称に配設されるようになっている。
【００２５】
そして、各アーム３５の基部３６の外周に、前記ロータ３０の軸孔３２の中心Ｓ２（図７参照）に対して所定半径で円弧状をなした円弧状壁部４０が形成されている。図７，８に示すように、これらの円弧状壁部４０，４０は、スライドピン５１，５２の、支軸２１寄りの内側面に近接して配置され、スライドピン５１，５２の外側面に近接して配置されたガイド壁２５，２６と合せて、スライドピン５１，５２をその長さ方向に沿って直線的にスライドさせるガイド部を構成している。すなわち、この実施形態では、円弧状壁部４０，４０と前記ガイド壁２５，２６とが本発明における「ガイド部」をなしている。
【００２６】
上記連結部材３８を介してアーム３５，３５に連結されるスライドピン５１，５２は、全体として直線状に伸びた角柱状をなしている。図４に示すように、各スライドピン５１，５２の基端部５３には、連結部材３８の球状に膨出した先端部３８ａが挿入される、枠状の連結凹部５４が形成されている。この連結凹部５４は、スライドピン５１，５２の裏面側（取付ベース２０側）及び一側面が開口していると共に、裏面側開口５４ａの内周には突起５４ｂが形成され、かつ、一側面の開口５４ｃは連結部材３８の先端部３８ａの外径よりも小さく形成されており、連結凹部５４に球状の先端部３８ａを嵌め込むことで、アーム３５の先端部３７にスライドピン５１，５２が抜け止めされた状態で連結されるようになっている。
【００２７】
また、連結凹部５４の、スライドピン５１，５２の長さ方向に沿った幅Ｗ１は、前記連結部材３８の先端部３８ａの外径に適合した寸法で形成され、同連結凹部５４の、スライドピン５１，５２の長さ方向に直交した方向に沿った幅Ｗ２は、先端部３８ａの外径よりもやや大きい寸法で形成されている（図４参照）。したがって、スライドピン５１，５２の基端部５３は、各アーム３５の先端部３７に、連結部材３８を介して、スライドピン５１，５２の長さ方向に遊びなく、かつ、スライドピン５１，５２の長さ方向に直交する方向（図４の矢印参照）に所定の遊びを有して連結されるようになっている。
【００２８】
また、スライドピン５１の軸方向先端側は、グローブボックス本体１の形状に対応して所定の屈曲形状をなしていると共に、基端部側と同軸的に伸びる柱状のロック解除受部５６と、壁部５７を介してロック解除受部５６と平行に伸びる先端部５５とを有している（図９及び図１０参照）。一方、スライドピン５２の軸方向先端側もグローブボックス本体１に対応して屈曲し、その先端部５５は基端部側と平行に伸びている。各先端部５５の一側面には、テーパ面５５ａが形成されている。図６及び図９に示すように、各先端部５５は、前記グローブボックス本体１の凹部３の通孔３ａにスライド可能に挿入され、凹部３内に挿入されるリッド５の係合孔６ａに挿脱されるようになっている。
【００２９】
また、図１に示すように、スライドピン５１，５２の、基端部５３と先端部５５との間には、枠状をなした枠状ガイド５９が設けられている。この枠状ガイド５９の内周には、基端部５３側に向けて「ハの字」状をなした、一対の弾性片５９ａ，５９ａが突設されている。図９及び図１０に示すように、これらの弾性片５９ａ，５９ａの間に、グローブボックス本体１の背面上壁から立設したガイドリブ４が配置されて、同ガイドリブ４が弾性片５９ａ，５９ａにより弾性的に挟持されるようになっている。
【００３０】
ねじりコイルバネ６０は、支軸２１に外装されると共に、一対のアーム３５，３５の内周に配置される筒状のコイル部６１と、このコイル部６１の一端から延出され、前記取付ベース２０の一方の壁部２３に係止される脚部６２と、前記コイル部６１の他端から延出され、前記アーム３５の基部３６の外周に係止される脚部６３とを有している。このねじりコイルバネ６０により、ロータ３０が所定方向に回動付勢され（図７の矢印Ａ参照）、前記スライドピン５１，５２の各先端部５５が、リッド５の係合孔６ａに常時挿入される方向に付勢されるようになっている。
【００３１】
上記ねじりコイルバネ６０が、本発明における「リターンスプリング」をなしている。なお、リターンスプリングとしては、スライドピンが係合孔に挿入される方向に、ロータを直接又は間接的に回動付勢するものであればよく、特に限定されない。例えば、リターンスプリングとして、コイル状の引張りばねを用い、その一端を取付ベース２０に設けたピンに引き掛け、他端をロータ３０に引き掛けて、ロータ３０を直接的に回動付勢させたり、或いは、同引張りばねの一端を取付ベース２０のピンに引き掛け、他端をスライドピン５１，５２の一方に引き掛けて、ロータ３０を間接的に回動付勢させたりしてもよい。
【００３２】
また、本実施形態におけるスライドピン５１，５２の各先端部５５をリッド５の係合孔６ａから抜き出すロック解除手段は、図６に示すように、グローブボックス本体１の一方の凹部３に隣接した位置に配置されている。このロック解除手段は、図９及び図１０に示すように、ケース７１と、ケース７１の前面にスライド可能に配置されたプッシュボタン７２と、該プッシュボタン７２を押し込むことでケース７１の側面から突出するロック解除ロッド７３とを有しており、このロック解除ロッド７３が、スライドピン５１のロック解除受部５６に対向した位置となるようにグローブボックス本体１に取付けられている。そして、プッシュボタン７２を押し込むと、ロック解除ロッド７３がケース７１の側面から突出し、ねじりコイルバネ６０の付勢力に抗してロック解除受部５６を押圧して、スライドピン５１の先端部５５が係合孔６ａから抜き出され、また、ロータ３０を介して他方のスライドピン５２の先端部５５も、反対側の係合孔６ａから抜き出されるようになっている（図１０参照）。
【００３３】
次に上記構成からなる開閉部材のロック装置の作用効果について説明する。
【００３４】
図１及び図３に示すように、ねじりコイルバネ６０のコイル部６１を支軸２１に外装し、一方の脚部６２を取付ベース２０の一方の壁部２３に係止させ、他方の脚部６３をロータ３０の回動部３１の外周に引き掛けた状態で、ロータ３０の軸孔３２に支軸２１を挿入し、複数のリブ３４の隙間から支軸２１の突起２２，２２を通過させた後、ロータ３０を所定方向に回動させることで、支軸２１にロータ３０が抜け止めされた状態で回動可能に取付けられる。また、ねじりコイルバネ６０のコイル部６１の外周の一部が、一対のアーム３５，３５の基部３６によりカバーされるようになっている。
【００３５】
このとき、ねじりコイルバネ６０の付勢力により、ロータ３０が図７の矢印Ａ方向に回動付勢されるが、支軸２１の突起２２，２２に、ロータ３０のストッパ突部３３，３３がそれぞれ当接するので、ロータ３０の回動規制が図られるようになっている。このように、取付ベース２０から立設された支軸２１とロータ３０との間に、ロータ３０の、ねじりコイルバネ６０の付勢方向における回動角度を規制する回動規制部が設けられているので、スライドピン等を停止させて規制する場合に比べて、停止時の打音を小さくすることができる。
【００３６】
上記のように、支軸２１を介してロータ３０を取付ベース２０に取付けた後、各アーム３５の円弧状壁部４０，４０と、取付ベース２０から立設したガイド壁２５，２６との間に、スライドピン５１，５２の各基端部５３を挿入して、各アーム３５の連結部材３８を連結凹部５４に押し込んで嵌合させることにより、スライドピン５１，５２の各基端部５３がアーム３５の各先端部３７にそれぞれ連結されて、一対のスライドピン５１，５２が、ロータ３０の軸孔３２を中心として点対称な位置に配置される（図２及び図７参照）。
【００３７】
その状態で、取付ベース２０の支軸２１の突設面を、グローブボックス本体１の背面上壁に向けて配置し、取付ベースとグローブボックス本体１の背面上壁とで、ロータ３０及び一対のスライドピン５１，５２を挟み込み、スライドピン５１，５２の各先端部５５を、グローブボックス本体１の通孔３ａに挿入すると共に、スライドピン５１，５２の各枠状ガイド５９の弾性片５９ａ，５９ａの間に、グローブボックス本体１のガイドリブ４を挿入し（図９，１０参照）、取付ベース２０の周囲に設けられた取付孔２０ａを介して、グローブボックス本体１にネジ等により固定することで、ロック装置１０をグローブボックス本体１に取付けることができる。
【００３８】
このように、このロック装置１０においては、ロータ３０と、このロータ３０から延出されたアーム３５，３５に連結された一対のスライドピン５１，５２とが、取付ベース２０とグローブボックス本体１との間に挟み込まれることとなるので、一対のスライドピン５１，５２がアーム３５から外れにくくすることができる。
【００３９】
また、このロック装置１０では、一対のアーム３５，３５の各先端部３７に、一対のスライドピン５１，５２の基端部５３を予め連結させて両部材をアッセンブリ化することができるので、被取付部材に対するロック装置１０の取付作業性を向上させることができる。
【００４０】
上記のようにして被取付部材であるグローブボックス本体１に取付けられたロック装置１０は、ねじりコイルバネ６０により、図７の矢印Ａ方向に回動付勢されて、スライドピン５１，５２の各先端部５５が、リッド５の係合孔６ａに常時挿入される方向に付勢されるようになっている。
【００４１】
そして、グローブボックス本体１の開口部２を閉じるべくリッド５を押し込むと、グローブボックス本体１の凹部３内にリッド５の突部６が挿入され、同突部６によりスライドピン５１，５２の各先端部５５のテーパ面５５ａが押圧されて、ねじりコイルバネ６０の付勢力に抗して一対のスライドピン５１，５２が各先端部５５が互いに内方に押し込まれる方向にスライドする。そして、各先端部５５が係合孔６ａに至ると、再びねじりコイルバネ６０の付勢力によりロータ３０が回動付勢され、それに伴って一対のスライドピン５１，５２が外方に押し出される方向にスライドして、各先端部５５がリッド５の係合孔６ａ，６ａにそれぞれ係合して、グローブボックス本体１の開口部２をリッド５によって閉じた状態にロックすることができる（図９参照）。
【００４２】
このロック状態で、ロック解除手段のプッシュボタン７２を押し込むと、ロック解除ロッド７３がケース７１の側面から突出して、スライドピン５１のロック解除受部５６を押圧し、ねじりコイルバネ６０の付勢力に抗してスライドピン５１を内方に押し込む方向にスライドさせると共に、それと同期してロータ３０が回動付勢力とは反対方向に回動して、スライドピン５２を内方に引き込む方向にスライドさせるので、スライドピン５１，５２の各先端部５５がリッド５の係合孔６ａから外れて、グローブボックス本体１の開口部２からリッド５を開くことができる。
【００４３】
ところで、上記のように、リッド５の開閉動作に伴って、スライドピン５１，５２がスライドするとき、ロータ３０の回動に伴って、一対のアーム３５，３５が円弧状に移動するので、従来の構造の場合は、スライドピン５１，５２の基端部５３も円弧状に移動し、スライドピン５１，５２が傾くことになる。
【００４４】
しかしながら、本発明では、スライドピン５１，５２の各基端部５３が、一対のアーム３５，３５の各先端部３７に、スライドピン５１，５２の長さ方向に遊びなく、スライドピン５１，５２の長さ方向と直交する方向に所定の遊びを有して連結されており（図４参照）、かつ、スライドピン５１，５２は、円弧状壁部４０とガイド壁２５，２６とに挟まれて、ロータ３０の半径方向への移動を規制されているので、スライドピン５１，５１を直線的にスライドさせることができる。このため、スライドピン５１，５２が傾いて、その先端部５５がリッド５の係合孔６ａの内周等に摺接して、スライド抵抗が増大したり、異音が発生したりすることを防止することができる。
【００４５】
また、アーム３５の外周の円弧状壁部４０は、ロータ３０が回転しても、スライドピン５１，５２に干渉することなく、ガイド壁２５，２６との距離を一定に保って、スライドピン５１，５２をガイドすることができ、そのスライド動作をよりスムーズにすることができる。
【００４６】
更に、この実施形態では、スライドピン５１，５２には、その長さ方向途中に枠状ガイド５９が設けられており、この枠状ガイド５９内に設けられた一対の弾性片５９ａ，５９ａにより、グローブボックス本体１に設けられたガイドリブ４が弾性的に挟持されているので、これらの弾性片５９ａ，５９ａ及びガイドリブ４によっても、スライドピン５１，５２のスライド動作がガイドされて、スライドピン５１，５２をより確実に直線的にスライドさせることができる。
【００４７】
図１１及び図１２には、本発明に係る開閉部材のロック装置の他の実施形態が示されている。なお、前記実施形態と実質的に同一部分には同符号を付してその説明を省略する。
【００４８】
この実施形態における開閉部材のロック装置１０ａ（以下、「ロック装置１０ａ」）は、前記実施形態と比べて、一対のスライドピン５１，５２を長さ方向に沿って直線的にスライドさせるためのガイド部の構造が異なっている。
【００４９】
すなわち、このロック装置１０ａの取付ベース２０には、スライドピン５１，５２の基端部５３より、やや先端寄りの部分に整合するように、円柱状のガイド突起２８がそれぞれ立設されている（図１１（ａ）参照）。一方、スライドピン５１，５２には、基端部５３に隣接した位置に、スライドピン５１，５２の長さ方向に沿って、前記ガイド突起２８がスライド可能に挿入されるガイド溝５３ａがそれぞれ形成されている（図１２（ａ），（ｂ）参照）。
【００５０】
そして、図１１（ｂ）に示すように、一対のスライドピン５１，５２の基端部５３を、アーム３５，３５の各先端部３７に、連結部材３８を介して連結させたとき、前記ガイド突起２８がスライドピン５１，５２のガイド溝５３ａ内に挿入され、これらのガイド突起２８及びガイド溝５３ａにより、一対のスライドピン５１，５２がその長さ方向に沿って直線的にスライドされるようになっている。このように本実施形態では、ガイド突起２８及びガイド溝５３ａが本発明における「ガイド部」をなしている。
【００５１】
図１３には、本発明に係る開閉部材のロック装置の更に他の実施形態が示されている。なお、前記実施形態と実質的に同一部分には同符号を付してその説明を省略する。
【００５２】
この実施形態における開閉部材のロック装置１０ｂ（以下、「ロック装置１０ｂ」）は、前記実施形態と比べて、一対のスライドピン５１，５２を長さ方向に沿って直線的にスライドさせるためのガイド部の構造が異なっている。
【００５３】
すなわち、このロック装置１０ｂの取付ベース２０には、一対のアーム３５，３５の先端部３７から所定長さ離れた位置に、スライドピン５１，５２が挿入される間隔を設けて、一対のガイド壁２９，２９がそれぞれ立設されている。
【００５４】
そして、図１３（ｂ）に示すように、一対のスライドピン５１，５２の基端部５３を、アーム３５，３５の各先端部３７に連結させたとき、一対のガイド壁２９，２９の間に、スライドピン５１，５２が挟み込まれ、この一対のガイド壁２９，２９によって、一対のスライドピン５１，５２がその長さ方向に沿って直線的にスライドされるようになっている。このように本実施形態では、取付ベース２０に設けられた一対のガイド壁２９，２９が本発明における「ガイド部」をなしている。
【００５５】
なお、以上の実施形態では、被取付部材であるグローブボックス本体１にロック装置を取付けた構造となっているが、開閉部材であるリッド５側に取付けることもでき、特に限定されない。また、本実施形態のロック装置は、ボックス状のグローブボックス本体１の開口部に、開閉可能にリッド５が取付けられた構造に適用したが、例えば、インストルメントパネルの開口部に、ボックス状のグローブボックスが開閉可能に取付けられた構造や、インストルメントパネルの開口部にリッドが開閉可能に取付けられた構造等に適用してもよく（この場合、インストルメントパネルが本発明の「被取付部材」をなし、グローブボックスやリッドが本発明の「開閉部材」をなす）、開口部を有する被取付部材に広く用いることができる。更に、ロック解除手段としては、スライドピン５１を押し込む構造のプッシュボタン式のものを採用したが、スライドピン５１，５２の一方をスライドさせるレバー式のものや、ロータ３０を直接回動させる回動ノブ、ロータ３０を押し引き操作により回動させる操作ノブなども用いることができ、特に限定されるものではない。
【符号の説明】
【００５６】
２  開口部
１０，１０ａ，１０ｂ  ロック装置
２０  取付ベース
２１  支軸
２５，２６，２９  ガイド壁
２８  ガイド突起
３０  ロータ
３５  アーム
４０  円弧状壁部
５１，５２  スライドピン
５３  基端部
５５  先端部
６０  ねじりコイルバネ
【図１】
2012132546.tif 000003
【図２】
2012132546.tif 000004
【図３】
2012132546.tif 000005
【図４】
2012132546.tif 000006
【図５】
2012132546.tif 000007
【図６】
2012132546.tif 000008
【図７】
2012132546.tif 000009
【図８】
2012132546.tif 000010
【図９】
2012132546.tif 000011
【図１０】
2012132546.tif 000012
【図１１】
2012132546.tif 000013
【図１２】
2012132546.tif 000014
【図１３】
2012132546.tif 000015
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
被取付部材の開口部に開閉可能に取付けられる開閉部材のロック装置であって、
前記被取付部材又は前記開閉部材に取付けられる取付ベースと、
この取付ベースに突設された支軸と、
この支軸を介して、前記取付ベースに回動可能に取付けられたロータと、
このロータから半径方向外方に向けて延出された一対のアームと、
基端部を前記ロータの対応するアームの先端部に連結され、先端部を相手方部材に設けられた係合孔に挿脱可能とされた一対のスライドピンと、
前記ロータを前記スライドピンが前記係合孔に挿入される方向に回動付勢するリターンスプリングと、
前記ロータ又は前記スライドピンを、前記リターンスプリングの付勢力に抗して移動させて、前記スライドピンを前記係合孔から抜き出すロック解除手段とを備え、
前記アームの先端部には、球状に膨出した先端部を有する連結部材が設けられ、前記スライドピンの基端部には、前記連結部材の先端部が嵌合する連結凹部が形成されており、前記連結凹部は、前記スライドピンの前記取付ベースに対向する裏面側及び一側面が開口していると共に、該裏面側開口の内周には突起が形成され、かつ、該一側面の開口は前記連結部材の先端部の外径よりも小さく形成された枠状であり、前記スライドピンの長さ方向に沿った幅が、前記連結部材の先端部の外径に適した寸法で形成され、前記スライドピンの長さ方向に直交した方向に沿った幅が、前記連結部材の先端部の外径よりも大きい寸法で形成されており、
前記スライドピンの連結凹部に、前記アームの連結部材の先端部が嵌合することにより、前記スライドピンの基端部が、前記アームの先端部に、前記スライドピンの長さ方向に遊びなく、前記スライドピンの長さ方向と直交する方向に所定の遊びを有して連結され、
前記スライドピンをその長さ方向に沿って直線的にスライドさせるガイド部が設けられていることを特徴とする開閉部材のロック装置。
【請求項２】
前記ガイド部は、前記ロータの前記支軸への装着部の外周に形成された円弧状壁部と、該円弧状壁部に対向して前記スライドピンが挿入される間隔を開けて前記取付ベースから立設されたガイド壁とで構成されている請求項１記載の開閉部材のロック装置。
【請求項３】
前記ガイド部は、前記取付ベースから立設されたガイド突起と、前記スライドピンの基端部に隣接した位置に形成され、同スライドピンの長さ方向に沿って、前記ガイド突起がスライド可能に挿入されるガイド溝とで構成されている請求項１記載の開閉部材のロック装置。
【請求項４】
被取付部材の開口部に開閉可能に取付けられる開閉部材のロック装置であって、
前記被取付部材又は前記開閉部材に取付けられる取付ベースと、
この取付ベースに突設された支軸と、
この支軸を介して、前記取付ベースに回動可能に取付けられたロータと、
このロータから半径方向外方に向けて延出された一対のアームと、
基端部を前記ロータの対応するアームの先端部に連結され、先端部を相手方部材に設けられた係合孔に挿脱可能とされた一対のスライドピンと、
前記ロータを前記スライドピンが前記係合孔に挿入される方向に回動付勢するリターンスプリングと、
前記ロータ又は前記スライドピンを、前記リターンスプリングの付勢力に抗して移動させて、前記スライドピンを前記係合孔から抜き出すロック解除手段とを備え、
前記アームの先端部には、球状に膨出した先端部を有する連結部材が設けられ、前記スライドピンの基端部には、前記連結部材の先端部が嵌合する連結凹部が形成されており、前記連結凹部は、前記スライドピンの長さ方向に沿った幅が、前記連結部材の先端部の外径に適した寸法で形成され、前記スライドピンの長さ方向に直交した方向に沿った幅が、前記連結部材の先端部の外径よりも大きい寸法で形成されており、
前記スライドピンの連結凹部に、前記アームの連結部材の先端部が嵌合することにより、前記スライドピンの基端部が、前記アームの先端部に、前記スライドピンの長さ方向に遊びなく、前記スライドピンの長さ方向と直交する方向に所定の遊びを有して連結され、
前記スライドピンをその長さ方向に沿って直線的にスライドさせるガイド部が設けられており、
前記取付ベースは、前記ロータ及び前記一対のスライドピンが前記取付ベースと前記被取付部材又は前記開閉部材との間に挟み込まれるように、前記支軸の突設面を前記被取付部材又は前記開閉部材に向けて取付けられており、前記ロータと前記一対のスライドピンとを予めアッセンブリ化して取付けることができるように構成されていることを特徴とする開閉部材のロック装置。
【請求項５】
前記取付ベース及び前記ロータには、前記ロータの、前記リターンスプリングの付勢方向における回動角度を規制する回動規制部が設けられている請求項１〜４のいずれか１つに記載の開閉部材のロック装置。
【国際調査報告】
2012132546.tif 000016
2012132546.tif 000017